(57)【要約】【課題】移動端末により、近距離無線通信を経て信号処理装置を経由し操作対象の電動遮蔽装置を操作可能とするシステムにて、より動作の安定化を図り、低コスト化に寄与し、利便性の高い信号処理装置、移動端末及び電動遮蔽装置を提供する。【解決手段】本発明の信号処理装置２は、リモートコントローラ８１とは区別可能なコマンドを含む無線信号（好適には、リモートコントローラ８１で用いる無線信号と共通の信号フォーマットで構成された無線信号）を生成し操作対象の電動遮蔽装置８と無線通信する。本発明の信号処理装置２は、信号処理装置２から提示制御される電動遮蔽装置８の操作に係るユーザーインターフェース（ＵＩ）のタッチ操作で操作指示を可能とする。本発明の電動遮蔽装置は、当該無線信号により信号処理装置２と無線通信可能な制御ユニット８０を備える。【選択図】図１
2019054401.tif 000002
【特許請求の範囲】
【請求項１】
リモートコントローラで操作可能な操作対象の電動遮蔽装置を移動端末から無線操作するために、当該移動端末に対し近距離無線通信路を経て接続され当該移動端末からの操作指示に対応する無線信号を出力する信号処理装置であって、
前記リモートコントローラのコマンドとは区別可能なコマンドを含む無線信号を生成する無線信号処理手段と、
該無線信号を用いて前記操作対象の電動遮蔽装置と無線通信する通信手段と、
を備えることを特徴とする信号処理装置。
【請求項２】
前記無線信号処理手段は、前記リモートコントローラのコマンドとは区別可能とした前記移動端末からの操作指示に対応するコマンドを生成し、該コマンドを含み前記リモートコントローラで用いる無線信号と共通の信号フォーマットで構成された無線信号を生成することを特徴とする、請求項１に記載の信号処理装置。
【請求項３】
前記無線信号の信号フォーマットは、予め定められた信号長で構成され、通信制御に係る通信制御領域と、前記操作対象の電動遮蔽装置の操作内容を指定するコマンド領域とを含み、
前記通信制御領域は、前記リモートコントローラで用いる無線信号と、前記信号処理装置で用いる無線信号との間で共通利用可能な値が設定され、
前記コマンド領域は、前記リモートコントローラの操作に係るコマンドと前記移動端末の操作に係るコマンドとを区別可能な値が設定されるように構成されていることを特徴とする、請求項１又は２に記載の信号処理装置。
【請求項４】
前記移動端末をＷｅｂ端末として機能させるために、Ｗｅｂサーバとして機能するよう構成されていることを特徴とする、請求項１から３のいずれか一項に記載の信号処理装置。
【請求項５】
請求項１から４のいずれか一項に記載の信号処理装置に対し近距離無線通信路を経て接続可能とする移動端末であって、
前記信号処理装置に対し、近距離無線通信路を経て相互通信接続を行う通信手段と、
前記信号処理装置から提示制御される当該操作対象の電動遮蔽装置の操作に係るユーザーインターフェースをタッチパネル式の表示画面に表示し、該ユーザーインターフェースに従うタッチ操作で前記操作指示を可能とするタッチ操作手段と、
を備えることを特徴とする移動端末。
【請求項６】
請求項１から４のいずれか一項に記載の信号処理装置と無線通信可能な制御ユニットを備える電動遮蔽装置であって、
前記制御ユニットは、前記リモートコントローラで用いる無線信号と、前記信号処理装置で用いる無線信号とを共通処理可能とし、前記信号処理装置で用いる無線信号に含まれるコマンドを解析し、前記移動端末からの操作指示に対応する動作を実行制御する無線信号解析実行手段を備えることを特徴とする電動遮蔽装置。
【発明の詳細な説明】
【技術分野】
【０００１】
本発明は、移動端末からの信号を処理して屋内の電動遮蔽装置を制御する無線信号を生成する信号処理装置、この信号処理装置に近距離無線通信路を経て接続し屋内の電動遮蔽装置の遠隔操作を可能とする移動端末、及び当該無線信号に基づいて動作する電動遮蔽装置に関する。
【背景技術】
【０００２】
従来、スマートフォンやタブレット等の移動端末を用いて、電動式の縦型又は横型ブラインド、ロールスクリーン、カーテン、ローマンシェード等の屋内の電動遮蔽装置を制御可能とするシステムが知られている。
【０００３】
例えば、リモートコントローラや有線スイッチで操作可能な電動遮蔽装置に対し、タッチパネル式の表示画面を備える移動端末をリモートコントローラや有線スイッチと同等に機能させるよう、移動端末から送受信親機を介して電動遮蔽装置へと通信接続する技法が開示されている（例えば、特許文献１参照）。
【０００４】
また、リモートコントローラや有線スイッチで操作可能な電動遮蔽装置に対し、タッチパネル式の表示画面を備える移動端末をリモートコントローラや有線スイッチと同等に機能させるだけでなく、種々の電動遮蔽装置の個別操作、グループ操作、全体操作、或いはタイマー操作の操作性を向上させるよう、移動端末から中継装置を介して電動遮蔽装置へと通信接続する技法が開示されている（例えば、特許文献２参照）。
【０００５】
これらの特許文献１，２の技法においては、移動端末と送受信親機或いは中継装置との接続のために、Ｗｉ−Ｆｉ等の近距離無線通信、或いはインターネット経由の接続を想定し、移動端末のタッチパネル式の表示画面に提示される電動遮蔽装置の操作に係るアプリケーションを起動すると、操作対象の電動遮蔽装置の操作メニューが表示されるものとなっている。
【先行技術文献】
【特許文献】
【０００６】
【特許文献１】特開２０１７−８９１１４号公報
【特許文献２】特開２０１７−３４４１９号公報
【発明の概要】
【発明が解決しようとする課題】
【０００７】
上述した特許文献１，２の技法において、スマートフォンやタブレット等の移動端末から、Ｗｉ−Ｆｉ等の近距離無線通信を経て、送受信親機又は中継装置を経由し、操作対象の電動遮蔽装置を操作可能とするシステムが開示されているが、より動作の安定化を図り、低コスト化に寄与し、利便性の高い技法が望まれる。
【０００８】
例えば、特許文献１の技法において、送受信親機を電動遮蔽装置のアンテナへと無線通信接続する際に、この送受信親機からの無線信号と、リモートコントローラからの無線信号とを共通のアンテナで受信可能とした電動遮蔽装置に対し、移動端末により操作可能として構成することが開示されている。しかしながら、この技法では、電動遮蔽装置が、送受信親機からの無線信号とリモートコントローラからの無線信号とを区別不能に操作されるものとなっているから、リモートコントローラの機能を超える操作を移動端末による操作に持たせることが困難であり、利便性の観点で改善の余地がある。
【０００９】
一方で、リモートコントローラの機能を超える操作を移動端末による操作に持たせるために、移動端末からの操作に基づく無線信号と、リモートコントローラの操作に基づく無線信号とを区別できるようにするには、一般的には、共通のアンテナで受信可能に電動遮蔽装置を構成したとしても、その後の処理経路を各無線信号用に用意せねばならず、結果として、動作の安定化、及び低コスト化の観点で改善の余地が生じる。
【００１０】
更に、特許文献１，２の技法においては、移動端末のタッチパネル式の表示画面に提示される電動遮蔽装置の操作に係るアプリケーションを起動すると、操作対象の電動遮蔽装置の操作メニューが表示されるものとなっている。ここで、操作メニューを含むアプリケーションを個々の移動端末に予め記憶する形態では、当該移動端末にそのアプリケーションの記憶領域を確保する必要が生じ移動端末の負荷が増大する点、及びユーザを判別する仕組みを設けるときは移動端末単位で当該システム上に登録することになり、例えば当該ユーザが他の移動端末を利用したいときも、当該他の移動端末の登録状況に応じた操作しかできなくなるという不都合も生じ利便性が悪化する点、等の改善すべき課題が生じる。
【００１１】
本発明の目的は、上述した問題に鑑みて、移動端末により、近距離無線通信を経て信号処理装置を経由し操作対象の電動遮蔽装置を操作可能とするシステムにて、より動作の安定化を図り、低コスト化に寄与し、利便性の高い信号処理装置、移動端末及び電動遮蔽装置を提供することにある。
【課題を解決するための手段】
【００１２】
本発明の信号処理装置は、リモートコントローラで操作可能な操作対象の電動遮蔽装置を移動端末から無線操作するために、当該移動端末に対し近距離無線通信路を経て接続され当該移動端末からの操作指示に対応する無線信号を出力する信号処理装置であって、前記リモートコントローラのコマンドとは区別可能なコマンドを含む無線信号を生成する無線信号処理手段と、該無線信号を用いて前記操作対象の電動遮蔽装置と無線通信する通信手段と、を備えることを特徴とする。
【００１３】
また、本発明の信号処理装置において、前記無線信号処理手段は、前記リモートコントローラのコマンドとは区別可能とした前記移動端末からの操作指示に対応するコマンドを生成し、該コマンドを含み前記リモートコントローラで用いる無線信号と共通の信号フォーマットで構成された無線信号を生成することを特徴とする。
【００１４】
また、本発明の信号処理装置において、前記無線信号の信号フォーマットは、予め定められた信号長で構成され、通信制御に係る通信制御領域と、前記操作対象の電動遮蔽装置の操作内容を指定するコマンド領域とを含み、前記通信制御領域は、前記リモートコントローラで用いる無線信号と、前記信号処理装置で用いる無線信号との間で共通利用可能な値が設定され、前記コマンド領域は、前記リモートコントローラの操作に係るコマンドと前記移動端末の操作に係るコマンドとを区別可能な値が設定されるように構成されていることを特徴とする。
【００１５】
また、本発明の信号処理装置において、前記移動端末をＷｅｂ端末として機能させるために、Ｗｅｂサーバとして機能するよう構成されていることを特徴とする。
【００１６】
更に、本発明の移動端末は、本発明の信号処理装置に対し近距離無線通信路を経て接続可能とする移動端末であって、前記信号処理装置に対し、近距離無線通信路を経て相互通信接続を行う通信手段と、前記信号処理装置から提示制御される当該操作対象の電動遮蔽装置の操作に係るユーザーインターフェースをタッチパネル式の表示画面に表示し、該ユーザーインターフェースに従うタッチ操作で前記操作指示を可能とするタッチ操作手段と、を備えることを特徴とする。
【００１７】
更に、本発明の電動遮蔽装置は、本発明の信号処理装置と無線通信可能な制御ユニットを備える電動遮蔽装置であって、前記制御ユニットは、前記リモートコントローラで用いる無線信号と、前記信号処理装置で用いる無線信号とを共通処理可能とし、前記信号処理装置で用いる無線信号に含まれるコマンドを解析し、前記移動端末からの操作指示に対応する動作を実行制御する無線信号解析実行手段を備えることを特徴とする。
【発明の効果】
【００１８】
本発明によれば、移動端末により、近距離無線通信を経て信号処理装置を経由し操作対象の電動遮蔽装置を操作可能とするシステムにて、より動作の安定化を図り、低コスト化に寄与し、利便性の高い信号処理装置、移動端末及び電動遮蔽装置を構成することができる。
【図面の簡単な説明】
【００１９】
【図１】本発明による一実施形態のシステムとして、移動端末により、近距離無線通信を経て信号処理装置を経由し屋内の操作対象の電動遮蔽装置を操作可能とするシステムの概略構成を示すブロック図である。
【図２】本発明による一実施形態の移動端末、及び信号処理装置の概略構成を示すブロック図である。
【図３】本発明による一実施形態の信号処理装置と操作対象の電動遮蔽装置との間で送受信する無線信号の信号フォーマットの概略構成を例示する図である。
【図４】本発明による一実施形態の電動遮蔽装置が備える制御ユニットの概略構成を示すブロック図である。
【図５】（ａ），（ｂ）は、それぞれ本発明による一実施形態の電動遮蔽装置が備える制御ユニットにおける状態情報管理テーブルと、本発明による一実施形態の信号処理装置における状態情報管理テーブルとを例示する図である。
【図６】（ａ），（ｂ）は、それぞれ本発明による一実施形態の信号処理装置におけるユーザ別の設定管理テーブルと、ユーザ別の操作履歴管理テーブルとを例示する図である。
【図７】本発明による一実施形態のシステムにおける一実施例の制御方法を示すフローチャートである。
【図８】本発明による一実施形態の移動端末における一実施例の操作画面（トップ画面）を示す図である。
【図９】（ａ），（ｂ）は、それぞれ本発明による一実施形態の移動端末における一実施例の操作画面（操作メイン画面及び設定メイン画面）を示す図である。
【図１０】（ａ），（ｂ）は、それぞれ本発明による一実施形態の移動端末における一実施例の操作画面（お気に入り設定画面及びお気に入り指定デバイス設定画面）を示す図である。
【図１１】（ａ），（ｂ）は、それぞれ本発明による一実施形態の移動端末における一実施例の操作画面（個別操作画面及び個別指定デバイス操作画面）を示す図である。
【発明を実施するための形態】
【００２０】
以下、図面を参照して、本発明による一実施形態のシステムとして、移動端末１により、近距離無線通信を経て信号処理装置２を経由し操作対象の電動遮蔽装置８を操作可能とするシステムについて説明する。
【００２１】
（システム）
図１は、本実施形態のシステムとして、移動端末１により信号処置装置２を経て屋内の操作対象の電動遮蔽装置８を操作可能とするシステムの概略構成を示すブロック図である。
【００２２】
移動端末１は、タッチパネル式の表示画面を有し、操作者による所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成され、例えばスマートフォンやタブレット等とすることができる。特に、本実施形態の移動端末１は、無線ルーター３に対する通信経路６で示すＷｉ−Ｆｉ等の近距離無線通信を介して、この無線ルーター３に有線又は無線ＬＡＮの通信経路４を経て接続される信号処理装置２と相互通信接続可能となっている。尚、無線ルーター３は、通信経路５を経て屋外からの接続又は屋外への接続を許容しており、信号処理装置２は、インターネット等のネットワーク上の一機器として接続されている。
【００２３】
そして、信号処理装置２は、移動端末１により、屋内に設置される種々の電動遮蔽装置８を操作可能とするためのＷｅｂサーバとして構成され、固有のＷｅｂアドレスを有している。即ち、移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示される。このため、移動端末１は、Ｗｅｂサーバ機能を有する信号処理装置２を経て、電動遮蔽装置８を操作するためのＷｅｂ端末として機能するようになっている。
【００２４】
従って、本実施形態の移動端末１は、操作メニューを含むアプリケーションを予め記憶しておく必要はなく、移動端末１の負荷の増大を避けることができる。そして、信号処理装置２は、移動端末１のタッチパネル式の表示画面上に、当該信号処理装置２との接続を確立するためのＷｅｂアドレスへと誘導する起動アイコンを記憶し表示可能とするよう、登録設定させる機能を有する。
【００２５】
また、信号処理装置２は、詳細に後述するが、ユーザ認証（ユーザＩＤ及びパスワード）に基づいてユーザを認証して判別し、ユーザ毎に種々の電動遮蔽装置８の操作に係る各種設定を保持し、尚且つユーザ毎に所定回数分の操作履歴を管理して、その各種設定及び操作履歴を当該ＵＩ上で移動端末１に提示できるようになっている。
【００２６】
従って、本実施形態のシステムでは、移動端末１単位で信号処理装置２に登録するものではなく、ユーザ単位で信号処理装置２に登録するものとなっており、ユーザが他の移動端末を利用したいときも、同じ各種設定及び操作履歴での操作が可能となり、利便性を向上させたものとなっている。
【００２７】
電動遮蔽装置８は、例えば電動で開閉動作する、縦型又は横型ブライド、ロールスクリーン、カーテンレール、たくし上げカーテン、或いはプリーツスクリーンなどとすることができ、図１に示す例では、代表的に横型ブライドとロールスクリーンが各間仕切り領域（例えば、リビング、寝室、部屋Ａ、…）に１以上設けられている。
【００２８】
移動端末１の操作を基に、信号処理装置２からの無線信号により動作する電動遮蔽装置８には、その無線信号を受信し、無線信号内の操作に係るコマンドに応じた動作を行わせるための制御ユニット８０が設けられている。
【００２９】
制御ユニット８０には当該電動遮蔽装置８における遮蔽材の開閉動作を操作可能とする有線スイッチ８２が有線接続され、尚且つ制御ユニット８０は通信経路９で示す無線信号通信で遠隔操作可能とするリモートコントローラ８１と無線接続可能となっている。この無線信号は、２．４ＧＨｚの周波数で双方向通信可能な信号としている。尚、本実施形態に係る無線信号は、後述する図３に示す信号フォーマットで構成されている。
【００３０】
リモートコントローラ８１及び有線スイッチ８２は、それぞれ当該電動遮蔽装置８における遮蔽材の開動作を操作する開ボタン（図示“△”）、開動作を操作する閉ボタン（図示“▽”）、及びその開閉動作の停止を操作する停止ボタン（図示“□”）を有する。
【００３１】
従って、制御ユニット８０を備える電動遮蔽装置８は、それぞれリモートコントローラ８１、有線スイッチ８２、及び移動端末１の操作を基に、遮蔽材の開動作を操作することができるようになっている。尚、図示する例では、個々の電動遮蔽装置８に対し個々のリモートコントローラ８１を図示しているが、１つのリモートコントローラ８１で、複数の電動遮蔽装置８を操作可能とする構成とすることもできる。例えば、電動遮蔽装置８及びリモートコントローラ８１に固有のＩＤを割り当て、これらのＩＤを基に、複数の電動遮蔽装置８を識別して個別に、或いは複数の電動遮蔽装置８を一括してグループ操作できるように設定すればよい。
【００３２】
ここで、制御ユニット８０を備える電動遮蔽装置８は、移動端末１の操作を基に、通信経路７で示す信号処理装置２からの無線信号により操作することができるが、この信号処理装置２と電動遮蔽装置８における制御ユニット８０との相互通信接続に係る無線信号は、詳細に後述するが、移動端末１からの操作に係るコマンドであるか、リモートコントローラ８１からの操作に係るコマンドであるかを識別しつつ、リモートコントローラ８１からの無線信号と共通の信号フォーマットで構成されている。
【００３３】
このため、制御ユニット８０は、信号処理装置２からの無線信号と、リモートコントローラ８１からの無線信号とを、共通のアンテナで受信可能とするだけでなくその後の処理経路を共通化でき、動作の安定化、及び低コスト化に有利になる。
【００３４】
更に、信号処理装置２からの無線信号と、リモートコントローラ８１からの無線信号とを共通の信号フォーマットで構成するとともに、これらの無線信号内のコマンドで、移動端末１からの操作に係るコマンドであるか、リモートコントローラ８１からの操作に係るコマンドであるかを識別可能としているため、移動端末１による操作の拡張性を高めることに寄与し、リモートコントローラ８１の機能を超える操作を移動端末１による操作に持たせることが実現され、利便性の高いものとなる。
【００３５】
以下、より具体的に、本実施形態に係る移動端末１、信号処理装置２、及び電動遮蔽装置８における制御ユニット８０の構成と、その動作を説明する。
【００３６】
（信号処理装置）
図２は、本発明による一実施形態の移動端末１、及び信号処理装置２の概略構成を示すブロック図である。上述したように、移動端末１は、無線ルーター３に対し通信経路６で示すＷｉ−Ｆｉ等の近距離無線通信が可能であり、この無線ルーター３に有線又は無線の通信経路４を経て接続される信号処理装置２と相互通信接続可能となっている。
【００３７】
そして、信号処理装置２は、移動端末１により、屋内に設置される種々の電動遮蔽装置８を操作可能とするためのＷｅｂサーバとして構成され、固有のＷｅｂアドレスを有し、移動端末１は、当該Ｗｅｂアドレスによって信号処理装置２に通信接続すると、Ｗｅｂサーバとして構成される信号処理装置２から、屋内に設置される種々の電動遮蔽装置８を操作可能とするユーザーインターフェース（ＵＩ）が提示されるＷｅｂ端末として機能する。
【００３８】
図２に示すように、信号処理装置２は、制御部２１、通信部２２，２４、及び記憶部２３を備え、制御部２１は、ＵＩ提示制御部２１１、ユーザ登録管理部２１２、ユーザ別設定管理部２１３、ユーザ別操作履歴管理部２１４、デバイス別状態情報管理部２１５、及びデバイス操作用無線信号処理部２１６を有している。
【００３９】
ここで、信号処理装置２はコンピューターで構成させることができる。当該コンピューターに、制御部２１の各機能を実現させるためのプログラムは、当該コンピューターの内部又は外部のメモリ（図示せず）に記憶される（当該メモリは記憶部２３と共有にしてもよい）。コンピューターに備えられる中央演算処理装置（ＣＰＵ）などの制御で、制御部２１の各機能を実現するための処理内容が記述されたプログラムを、適宜、当該メモリから読み込んで、制御部２１の各機能に相当する処理を当該コンピューターに実現させることができる。
【００４０】
通信部２２は、無線ルーター３を介して移動端末１との相互通信を行う機能部であり、移動端末１をＷｅｂ端末として機能させて、移動端末１からの操作に対応する処理を制御部２１の制御によって可能とする通信接続を行う。
【００４１】
通信部２４は、制御部２１の制御によって電動遮蔽装置８に備えられる制御ユニット８０との相互通信を行う機能部であり、上述したように、リモートコントローラ８１からの無線信号と共通の信号フォーマットで、尚且つ操作に係るコマンドをリモートコントローラ８１のコマンドとは区別可能な態様で識別可能に構成された無線信号により、制御ユニット８０との通信接続を行う。
【００４２】
尚、信号処理装置２の設置当初の電源投入時に、制御部２１は、屋内の種々の電動遮蔽装置８に備えられる制御ユニット８０との相互通信接続を試み、通信可能となった種々の電動遮蔽装置８に対し個々を識別するＩＤを自動的に割り当て（或いは予め設定されるＩＤを読み出し）、個々を識別するデバイス番号、デバイス種類（横型ブラインド、ロールスクリーン等）、及び操作可能内容（開閉に係る開度（開閉度合）やチルト、タイマー制御等）の情報を取得して、外部編集可能に記憶部２３に記憶する。ここで、信号処理装置２が用いる電動遮蔽装置８のＩＤは、信号処理装置２自身が管理するのに用いる識別子であるため、グループ操作可能としたリモートコントローラ８１で用いる電動遮蔽装置８のＩＤと一致させる必要はない。
【００４３】
外部編集として、例えば、デバイス番号１には「リビングＡ」、デバイス番号２には「リビングＢ」等のＵＩ表示を可能とする分かりやすいデバイス名称を付与することができる。また、本実施形態の信号処理装置２は、ユーザ単位での種々の電動遮蔽装置８を動作設定できるため、ユーザ毎に異なるデバイス名称を付与することもできる。この外部編集のために、当該移動端末１におけるタッチパネル式の表示画面に、屋内に設置される種々の電動遮蔽装置８を操作可能とするユーザーインターフェース（ＵＩ）を提示した際に、当該編集可能な編集メニュー欄を設けるか、又は、信号処理装置２自体に外部編集可能なキーボードや操作パネル等を設けるか、或いはネットワーク上に接続されるコンピューターにより当該外部編集を行えるように信号処理装置２が構成される。
【００４４】
ＵＩ提示制御部２１１は、移動端末１におけるタッチパネル式の表示画面に、屋内に設置される種々の電動遮蔽装置８を操作可能とするユーザーインターフェース（ＵＩ）を提示する機能部である。移動端末１に提示されるＵＩについては後述する。
【００４５】
ユーザ登録管理部２１２は、移動端末１に提示したＵＩを介してユーザ認証を行うためのユーザＩＤ及びパスワードをユーザに設定させ、記憶部２３に記憶保持して管理する機能部である。ユーザ認証は、ＵＩ提示制御部２１１の一機能としてユーザ認証用ＵＩを提示して行われ、ユーザ登録管理部２１２によって管理するユーザＩＤ及びパスワードが利用される。
【００４６】
ユーザ別設定管理部２１３は、移動端末１に提示したＵＩを介してユーザ毎に種々の電動遮蔽装置８の操作に係る各種設定をユーザに設定させ、後述する図６（ａ）に例示するユーザ別の設定管理テーブルを生成し、記憶部２３に記憶保持して管理し、当該ＵＩ上に設定内容を提示可能とする機能部である。
【００４７】
ユーザ別操作履歴管理部２１４は、ユーザ毎に所定回数分の操作履歴を管理して、後述する図６（ｂ）に例示するユーザ別の操作履歴管理テーブルを生成し、記憶部２３に記憶保持して管理し、当該ＵＩ上に所定回数分の操作履歴を提示可能とする機能部である。
【００４８】
デバイス別状態情報管理部２１５は、通信確立時の移動端末１に対し、その通信確立時における全ての操作可能な電動遮蔽装置８における遮蔽材の状態（動作中であるか否か、及び非動作中であれば遮蔽材の開閉状態）を、各電動遮蔽装置８の制御ユニット８０から取得し（後述する図５（ａ）参照）、後述する図５（ｂ）に例示する電動遮蔽装置８別（即ちデバイス別）の状態情報管理テーブルを生成し、記憶部２３に記憶保持して管理し、当該ＵＩ上にデバイス別の状態情報を提示可能とする機能部である。
【００４９】
また、デバイス別状態情報管理部２１５は、通信確立後の移動端末１におけるＵＩ上の操作要求に応じて、操作対象の電動遮蔽装置８についてのみ、遮蔽材の状態（動作中であるか否か、及び非動作中であれば遮蔽材の開閉状態）を、当該電動遮蔽装置８の制御ユニット８０から取得し、当該電動遮蔽装置８の状態情報管理テーブルを更新し、記憶部２３に記憶保持して管理し、当該ＵＩ上に当該操作要求に係るデバイスの状態情報を提示可能とする機能も有する。
【００５０】
デバイス操作用無線信号処理部２１６は、移動端末１に提示したＵＩを介してユーザの操作に係るコマンドを含む操作対象の電動遮蔽装置８用（即ちデバイス用）の無線信号を生成し、通信部２４により当該無線信号を出力する機能部である。
【００５１】
また、デバイス操作用無線信号処理部２１６は、通信部２４を介して操作対象の電動遮蔽装置８からの応答信号（当該無線信号と共通の信号フォーマットとすることができ、上記の状態情報を含めることができる）を受信したときは、デバイス別状態情報管理部２１５を機能させるよう動作させる機能を有する。
【００５２】
（移動端末）
また、図２に示すように、移動端末１は、制御部１１、及び通信部１２を備え、制御部１１はＵＩ提示部１１１を有している。ＵＩ提示部１１１は、ユーザ登録部１１２、ユーザ別デバイス動作指定設定部１１３、指定設定済みデバイス動作操作部１１４、操作履歴別操作部１１５、デバイス動作強制停止操作部１１６、及びデバイス操作部１１７を有している。
【００５３】
ここで、移動端末１はコンピューターで構成させることができる。当該コンピューターに、制御部１１の各機能を実現させるためのプログラムは、当該移動端末１の内部のメモリ（図示せず）に記憶される。コンピューターに備えられる中央演算処理装置（ＣＰＵ）などの制御で、制御部１１の各機能を実現するための処理内容が記述されたプログラムを、適宜、当該メモリから読み込んで、制御部１１の各機能に相当する処理を当該コンピューターに実現させることができる。
【００５４】
通信部１２は、無線ルーター３を介して信号処理装置２との相互通信を行う機能部であり、信号処理装置２はＷｅｂサーバとして構成され、移動端末１をＷｅｂ端末として機能させる通信接続を行う。
【００５５】
ＵＩ提示部１１１は、信号処理装置２におけるＵＩ提示制御部２１１の制御によって、移動端末１におけるタッチパネル式の表示画面に、屋内に設置される種々の電動遮蔽装置８を操作可能とするユーザーインターフェース（ＵＩ）を提示させる機能部である。
【００５６】
ユーザ登録部１１２は、移動端末１に提示されたＵＩを介してユーザ認証を行うためのユーザＩＤ及びパスワードをユーザに設定させ、信号処理装置２におけるユーザ登録管理部２１２の制御によって管理させる機能部である。
【００５７】
ユーザ別デバイス動作指定設定部１１３は、移動端末１に提示されたＵＩを介してユーザ毎に種々の電動遮蔽装置８の操作に係る各種設定をユーザに設定させ、信号処理装置２におけるユーザ別設定管理部２１３の制御によって管理させる機能部である。
【００５８】
ユーザ別デバイス動作指定設定部１１３による各種設定として、複数の電動遮蔽装置８の操作を個別に行う“個別操作”、グループ指定した複数の電動遮蔽装置８の操作を一括して行う“グループ操作”、ユーザが所望する指定の電動遮蔽装置８の指定の操作を行う“お気に入り操作”、並びに指定した電動遮蔽装置８に対し所定時刻になると指定した動作を行う“タイマー操作”等に関する設定がある。後述するが、これらの設定はユーザ単位で設定できるようになっている。
【００５９】
指定設定済みデバイス動作操作部１１４は、信号処理装置２におけるユーザ別設定管理部２１３の制御によって移動端末１に提示されたＵＩを介して、ユーザ別デバイス動作指定設定部１１３により指定設定したデバイス動作（即ち、“お気に入り操作”）を操作指示可能とする機能部である。
【００６０】
操作履歴別操作部１１５は、信号処理装置２におけるユーザ別操作履歴管理部２１４の制御によって移動端末１に提示されたＵＩを介して、操作履歴に基づくデバイス動作（本願明細書中、“操作履歴操作”と称する）を操作指示可能とする機能部である。
【００６１】
デバイス動作強制停止操作部１１６は、遮蔽材の状態が動作中である際に、そのデバイス動作を強制停止させる機能部である。尚、ユーザはＵＩ上で電動遮蔽装置８が動作中であるか否かを把握できない場合でも、ユーザは電動遮蔽装置８が動作中であるか否かを電動遮蔽装置８の直接的な目視で把握できる。ただし、ＵＩ上でも後述するデバイス操作時点で電動遮蔽装置８の状態情報が反映されて把握できる。
【００６２】
デバイス操作部１１７は、移動端末１に提示されたＵＩを介して複数の電動遮蔽装置８の操作を個別に行う“個別操作”、ユーザ別デバイス動作指定設定部１１３の設定機能でグループ指定した複数の電動遮蔽装置８の操作を一括して行う“グループ操作”、及び指定した電動遮蔽装置８に対し所定時刻になると指定した動作を行う“タイマー操作”等を選択的に操作可能とする機能部である。
【００６３】
そして、信号処理装置２は、図２に示すユーザ別設定管理部２１３により、移動端末１に提示したＵＩを介してユーザ毎に種々の電動遮蔽装置８の操作に係る各種設定をユーザに設定させ、図６（ａ）に例示するように、ユーザ毎の“個別操作”、“グループ操作”、“お気に入り操作”、及び“タイマー操作”の各種設定を示すユーザ別の設定管理テーブルを生成し、記憶部２３に記憶保持して管理し、当該ＵＩ上に設定内容を提示可能とする。
【００６４】
また、信号処理装置２は、図２に示すユーザ別操作履歴管理部２１４により、ユーザ毎に例えば３回分の操作履歴を管理して、図６（ｂ）に例示するユーザ別の操作履歴管理テーブルを生成し、記憶部２３に記憶保持して管理し、当該ＵＩ上に当該３回分の操作履歴を提示可能とする。
【００６５】
このように、信号処理装置２は、移動端末１により、屋内に設置される種々の電動遮蔽装置８を操作可能とするためのＷｅｂサーバとして構成され、移動端末１は、屋内に設置される種々の電動遮蔽装置８を操作可能とするユーザーインターフェース（ＵＩ）が提示されるＷｅｂ端末として機能する。
【００６６】
そして、制御ユニット８０を備える電動遮蔽装置８は、移動端末１の操作を基に信号処理装置２からの無線信号により操作することができる。
【００６７】
（無線信号の信号フォーマット）
この信号処理装置２と電動遮蔽装置８における制御ユニット８０との相互通信接続に係る無線信号は、図３に示すように、移動端末１からの操作に係るコマンドであるか、リモートコントローラ８１からの操作に係るコマンドであるかを識別しつつ、リモートコントローラ８１で用いる無線信号と共通の信号フォーマットで構成されている。
【００６８】
図３は、本発明による一実施形態の信号処理装置２と操作対象の電動遮蔽装置８との間で送受信する無線信号の信号フォーマットの概略構成を例示する図である。図３に例示する無線信号の信号フォーマットは、１７バイト（１ｓｔ〜１７ｔｈ）の予め定められた信号長で構成され、通信制御に係る通信制御領域と、前記操作対象の電動遮蔽装置の操作内容を指定するコマンド領域とを含み、具体的には信号名称として、“Start”, “Length”, “MsgID”, “MsgNo” , “DstID”, “SrcID”, “COM0”, “COM1” , “COM2” , “Reserve”からなる。
【００６９】
“Start”は、無線信号の開始を本システム固有に示す値が設定され、本例では0x0F5Aとする。この値は、リモートコントローラ８１で用いる無線信号と共通とする。
【００７０】
“Length” は、無線信号の送信バイト数を示す値が設定され、本例では0x10とする。この値は、リモートコントローラ８１で用いる無線信号と共通とする。
【００７１】
“MsgID” は、無線信号の送信コマンドの重複チェック用のメッセージ識別子を示す値が設定され、本例では0x11とする。この値は、リモートコントローラ８１で用いる無線信号と共通とする。
【００７２】
“MsgNo” は、送信毎に数値を変更して、前回送信したコマンドとの識別を可能とする任意のメッセージ番号を示す値が設定され、例えば前回コマンドに割り当てた初期番号に対しインクリメントした値とする。この値の設定方法は、リモートコントローラ８１で用いる無線信号と共通とする。
【００７３】
“DstID” は、送信先のＩＤが設定される。例えば、信号処理装置２から或るＩＤを持つ操作対象の電動遮蔽装置８をターゲットデバイスとして無線信号を送信するとき、そのターゲットデバイスのＩＤが設定される。この値の設定方法は、リモートコントローラ８１で用いる無線信号と共通とする。
【００７４】
“SrcID” は、送信元のＩＤが設定される。例えば、移動端末１と信号処理装置２との通信接続が確立され信号処理装置２から或るＩＤを持つ操作対象の電動遮蔽装置８をターゲットデバイスとして無線信号を送信するとき、無線ルーター３が自動的に割り当てた、移動端末１を識別するためのＩＤが設定される。この値の設定方法は、リモートコントローラ８１からの送信であればリモートコントローラ８１のＩＤが設定され、実質的にリモートコントローラ８１で用いる無線信号と共通となる。
【００７５】
“COM0” は、如何なるコマンドであるかを識別するための値が設定される。例えば、デバイス設定、デバイス操作、デバイス状態要求、遮蔽材の開度（開閉度合）やチルトの動作指定等の随意予め定めたコマンド種別の値が設定される。この値によって、移動端末１からの操作に係るコマンドであるか、リモートコントローラ８１からの操作に係るコマンドであるかを識別できるようにしている。
【００７６】
“COM1” は、リモートコントローラ８１からの操作に係るコマンドであれば登録されているグループを指定する値が設定され、移動端末１からの操作に係るコマンドであれば遮蔽材の開度（開閉度合）を示す値が設定される。
【００７７】
“COM2” は、リモートコントローラ８１からの操作に係るコマンドであれば、いずれのボタンが押されたかを示す値（上述した例では、開ボタン、閉ボタン、及び停止ボタンとしているが、これ以外にもチルトのＵＰ／ＤＯＷＮや、複数種のチルト速度設定、自動動作等のボタンを含めてもよい）が設定され、移動端末１からの操作に係るコマンドであれば遮蔽材のチルト量（角度）を示す値が設定される。
【００７８】
ただし、移動端末１からの操作に係るコマンドにおいても、リモートコントローラ８１で可能な操作の全てのコマンドを包含させることもできる。
【００７９】
“Reserve” は、将来の拡張性を持たせるためのリザーブとして設けられ、本例ではＮＵＬＬが設定される。
【００８０】
この図２に示す無線信号であれば、制御ユニット８０は、信号処理装置２からの無線信号と、リモートコントローラ８１からの無線信号とを、共通のアンテナで受信可能とするだけでなくその後の処理経路を共通化でき、動作の安定化、及び低コスト化に有利になる。
【００８１】
更に、移動端末１による操作の拡張性を高めることに寄与し、リモートコントローラ８１の機能として実現可能な“個別操作”、“グループ操作”、及び“タイマー操作”以外にも、ユーザ毎に設定される“お気に入り操作”や、ユーザ後の操作履歴に基づく“操作履歴操作”等を移動端末１による操作に持たせることが実現され、利便性の高いものとなる。
【００８２】
（制御ユニット）
図４は、本発明による一実施形態の電動遮蔽装置８が備える制御ユニット８０の概略構成を示すブロック図である。ここでは、電動遮蔽装置８として遮蔽材（スラット）の開閉と、そのスラットの角度（即ち、チルト量）を電動により制御可能な横型ブラインド用のものを例に説明する。制御ユニット８０には、当該電動遮蔽装置８における遮蔽材の開閉動作を操作可能とする有線スイッチ８２が有線接続され、尚且つ通信経路９で示す無線信号通信で遠隔操作可能とするリモートコントローラ８１が無線接続可能となっている。
【００８３】
電動式の横型ブラインドは、スラットのチルト量及び昇降位置を制御可能なモーター（図示せず）、及びスラットのチルト量及び昇降高さを認識するためのエンコーダー（図示せず）を備えている。
【００８４】
制御ユニット８０は、操作対象とする電動遮蔽装置８のそれぞれに設けられ、制御部８０１、有線スイッチ通信制御部８０２、記憶部８０３、通信部８０４、駆動部８０５、及びパルス信号受信部８０６を備える。また、制御部８０１は、無線信号解析実行部８０１１、開度制御部８０１２、チルト量制御部８０１３、状態情報管理部８０１４、及び有線操作信号解析実行部８０１５を備える。
【００８５】
有線スイッチ通信制御部８０２は、電動遮蔽装置８毎に設けられる有線スイッチ８２から操作信号を受信して制御部８０１に送信し、制御部８０１により当該操作信号に対応する動作を実行する機能部である。例えば、有線スイッチ８２は、電動遮蔽装置８として構成される横型ブラインドについて、操作者によってスラットのチルト量や遮蔽材の昇降位置を指定可能なスイッチボタンを有し、開ボタン、閉ボタン、及び停止ボタンの操作で、操作者によって指定されたチルト量や遮蔽材の昇降位置に関する操作信号を有線スイッチ通信制御部８０２に出力することができる。
【００８６】
当該操作信号を受信した制御部８０１は、有線操作信号解析実行部８０１５により、指定されるチルト操作や昇降操作を実行するよう動作する。より具体的には、有線操作信号解析実行部８０１５は、有線スイッチ８２を経て操作者によって指定される任意のチルト量・昇降位置について、開度制御部８０１２又はチルト量制御部８０１３を機能させる。開度制御部８０１２は、当該有線スイッチ８２の操作信号を基に、対応する昇降位置となるよう駆動部８０５を介して当該昇降モーター（図示せず）を制御しスラットを昇降させる。チルト量制御部８０１３は、当該有線スイッチ８２の操作信号を基に、対応するチルト量となるよう駆動部８０５を介して当該モーター（図示せず）を制御しスラットを回動させる。尚、スラットのチルト量と昇降位置を別個のモーターで構成することもでき、これら各モーターを個別に駆動する駆動部を設けるよう構成してもよい。この場合、高段階のチルト量の制御のためにステッピングモーターを利用することもできる。
【００８７】
通信部８０４は、上述した図３に例示する無線信号により、信号処理装置２又はリモートコントローラ８１との相互通信を行う機能部であり、信号処理装置２又はリモートコントローラ８１から受信した無線信号を制御部８０１に出力するとともに、当該無線信号の応答を要するときは（例えば、電動遮蔽装置８の状態情報）、制御部８０１によって生成される応答信号（当該無線信号と共通の信号フォーマットとすることができ、上記の状態情報を含めることができる）を、移動端末１へと通知される信号処理装置２、又はリモートコントローラ８１に送信する機能を有する。通信部８０４は、信号処理装置２からの無線信号と、リモートコントローラ８１からの無線信号とを、共通のアンテナ（図示せず）で受信することができる。
【００８８】
当該無線信号を受信した制御部８０１は、無線信号解析実行部８０１１により、当該無線信号に含まれるコマンド（図３参照）を解析し、指定されるチルト操作や昇降操作を実行するよう動作する。より具体的には、無線信号解析実行部８０１１は、開度制御部８０１２又はチルト量制御部８０１３を機能させる。開度制御部８０１２は、当該無線信号に含まれるコマンドを基に、対応する昇降位置となるよう駆動部８０５を介して当該昇降モーター（図示せず）を制御しスラットを昇降させる。チルト量制御部８０１３は、当該制御コマンドに対応するチルト量となるよう駆動部８０５を介して当該モーター（図示せず）を制御しスラットを回動させる。このように、信号処理装置２からの無線信号と、リモートコントローラ８１からの無線信号とを、共通のアンテナで受信可能とするだけでなくその後の処理経路を共通化でき、動作の安定化、及び低コスト化に有利になる。
【００８９】
尚、制御部８０１は、スラットのチルト動作及び昇降動作の制御中、当該モーター（図示せず）のパルス数をカウントして制御中のチルト量を監視する機能、パルス信号受信部８０６を経て得られる当該チルト量及び昇降高さを認識可能とするエンコーダー（図示せず）からのパルス信号のパルス数をカウントして制御中の昇降位置を監視する機能を有する。
【００９０】
更に、制御部８０１は、スラットのチルト動作及び昇降動作の結果の現在状態を示す状態情報（遮蔽材の開度及びチルト量）を図５（ａ）に例示する状態情報管理テーブルとして記憶部８０３に保持し更新する。そして、移動端末１又はリモートコントローラ８１からの要求に応じて、制御部８０１は、昇降高さ（開度）の状態及びスラットのチルトの状態を示す状態情報を含む応答信号をそれぞれに返信するよう構成される。また、制御部８０１は、昇降高さ（開度）の状態及びスラットのチルトの状態を示す状態情報の更新が為される度に信号処理装置２へ通知するよう構成することもできる。
【００９１】
これにより、信号処理装置２は、図２に示すデバイス別状態情報管理部２１５によって、通信確立時の移動端末１に対し、その通信確立時における全ての操作可能な電動遮蔽装置８における遮蔽材の状態（動作中であるか否か、及び非動作中であれば遮蔽材の開閉状態）を、各電動遮蔽装置８の制御ユニット８０から取得し管理することができる。例えば、図５（ｂ）に例示するように、昇降高さ（開度）の状態及びスラットのチルトの状態を示す状態情報に関して電動遮蔽装置８別（デバイス別）の状態情報管理テーブルを生成し、記憶部２３に記憶保持して管理し、当該ＵＩ上にデバイス別の状態情報を提示可能である。
【００９２】
尚、本例の制御部８０１をコンピューターで構成させることができる。当該コンピューターに、制御部８０１の各機能を実現させるためのプログラムは、当該コンピューターの内部又は外部のメモリ（図示せず）に記憶される（当該メモリは記憶部８０３と共有にしてもよい）。コンピューターに備えられる中央演算処理装置（ＣＰＵ）などの制御で、制御部８０１の各手段を実現するための処理内容が記述されたプログラムを、適宜、当該メモリから読み込んで、制御部８０１の機能に相当する処理をコンピューターで実現させることができる。
【００９３】
図４に示す制御ユニット８０は、電動遮蔽装置８として遮蔽材（スラット）の開閉と、そのスラットの角度（即ち、チルト量）を電動により制御可能な横型ブラインドを例に説明したが、他の種類の電動遮蔽装置（例えばロールスクリーン）であれば、遮蔽材の昇降位置に関する機能部のみを設けることで、図４に示す制御ユニット８０とほぼ同様に構成することができる。例えば、電動式のロールスクリーンには、チルト用の駆動手段を設ける必要はない。
【００９４】
また、種々の電動遮蔽装置８に設けられる制御ユニット８０の記憶部８０３には、個々を識別するデバイス番号、デバイス種類（横型ブラインド、ロールスクリーン等）、及び操作可能内容（開閉に係る開度（開閉度合）やチルト、タイマー制御等）のデバイス情報を自身のＩＤと関連付けて保持されている。そして、信号処理装置２の設置当初の電源投入時に、信号処理装置２の制御部２１の制御によって、屋内の種々の電動遮蔽装置８に備えられる制御ユニット８０との相互通信接続を試みが為された時に、種々の電動遮蔽装置８に設けられる制御ユニット８０の記憶部８０３に記憶されているデバイス情報が読み出され、当該信号処理装置２へと登録される。
【００９５】
（システム動作）
図７は、図１に示す本実施形態のシステムにおける一実施例の制御方法を示すフローチャートである。図８乃至図１１に示す移動端末１におけるタッチパネル式の表示画面上に提示されるＵＩを参照しながら、本実施形態のシステムにおける一実施例の制御方法に基づく動作も併せて説明する。
【００９６】
まず、移動端末１は、Ｗｅｂサーバとして構成される信号処理装置２に対する固有のＷｅｂアドレスにアクセスして、信号処理装置２との通信を確立する（ステップＳ１）。ここで、信号処理装置２はデバイス別状態情報管理部２１５によって全ての操作可能な電動遮蔽装置８のデバイス情報について記憶部２３に記憶保持して管理することで登録済みであり、移動端末１を利用するユーザは、信号処理装置２に対しユーザ登録済みである状態から説明する。
【００９７】
移動端末１が信号処理装置２との通信を確立すると、信号処理装置２は、ＵＩ提示制御部２１１及びユーザ登録管理部２１２によって、ユーザ認証用ＵＩを提示し、ユーザＩＤ及びパスワードを基に、ユーザ認証を行う（ステップＳ２）。
【００９８】
ユーザ認証後、信号処理装置２は、ユーザ別設定管理部２１３によってユーザ別の各種設定を確認し、ユーザ別操作履歴管理部２１４によってユーザ毎に所定回数分の操作履歴を確認し、デバイス操作用無線信号処理部２１６による全ての操作可能な電動遮蔽装置８に対する無線信号の相互通信に基づき、現時点のデバイス別状態情報管理部２１５によって全ての操作可能な電動遮蔽装置８における遮蔽材の状態（動作中であるか否か、及び非動作中であれば遮蔽材の開閉状態）を確認する（ステップＳ３，Ｓ４）。
【００９９】
続いて、信号処理装置２は、ＵＩ提示制御部２１１によって、移動端末１におけるタッチパネル式の表示画面に、屋内に設置される種々の電動遮蔽装置８を操作可能とするユーザーインターフェース（ＵＩ）を提示する（ステップＳ５）。これにより、移動端末１はＷｅｂ端末として機能する。
【０１００】
このとき、移動端末１におけるタッチパネル式の表示画面にＵＩ（トップ画面Ｕ１）を図８に示している。図８に示すトップ画面Ｕ１には、“お気に入り操作”に係る３つのメニュー表示Ｕ１１‐１，Ｕ１１‐２，Ｕ１１‐３が提示され、そのうち２つ“お気に入り操作”に係る設定が当該ユーザによって既に為されていることを示している。この設定に関する操作例は後述するが、信号処理装置２におけるユーザ別設定管理部２１３の機能として図６（ａ）に例示するユーザ別の設定管理テーブルによって管理されており、移動端末１の指定設定済みデバイス動作操作部１１４によって操作指示可能に当該ＵＩ（トップ画面Ｕ１）に提示される。従って、ユーザが “お気に入り操作”に係る例えばメニュー表示Ｕ１１‐１の“お気に入り１”をタッチ操作すると、その設定済みの“お気に入り操作”に係る無線信号が、対応する電動遮蔽装置８に対し送信され、その電動遮蔽装置８が“お気に入り操作”に設定されている動作を行う。
【０１０１】
また、図８に示すトップ画面Ｕ１には、「最近の操作」として示す“操作履歴操作”に係る３つのメニュー表示Ｕ１２‐１，Ｕ１２‐２，Ｕ１２‐３が提示される。このように提示される操作履歴は、信号処理装置２におけるユーザ別操作履歴管理部２１４の機能により図６（ｂ）に例示するユーザ別の操作履歴管理テーブルによって管理されており、移動端末１の操作履歴別操作部１１５によって操作指示可能に当該ＵＩ（トップ画面Ｕ１）に提示される。従って、ユーザが“操作履歴操作”に係る例えばメニュー表示Ｕ１２‐１をタッチ操作すると、その設定済みの“操作履歴操作”に係る無線信号が、対応する電動遮蔽装置８に対し送信され、その電動遮蔽装置８が“操作履歴操作”に対応する動作を行う。
【０１０２】
また、図８に示すトップ画面Ｕ１には、デバイス動作強制停止操作部１１６の機能として、全ての操作可能な電動遮蔽装置８に対し、遮蔽材の状態が動作中である際に、そのデバイス動作を強制停止させるＳＴＯＰボタンＵ１３が提示されている。尚、ユーザはＵＩ上で電動遮蔽装置８が動作中であるか否かを把握できない場合でも、ユーザは電動遮蔽装置８が動作中であるか否かを電動遮蔽装置８の直接的な目視で把握できる。ただし、ＵＩ上でも後述するデバイス操作時点で電動遮蔽装置８の状態情報が反映されて把握できる。そして、当該トップ画面Ｕ１の提示時点でユーザが当該ＳＴＯＰボタンＵ１３をタッチ操作すると、これに対応する無線信号が信号処理装置２から全ての操作可能な電動遮蔽装置８に対し送信され、各電動遮蔽装置８を強制停止させるようになっている。
【０１０３】
また、図８に示すトップ画面Ｕ１には、“操作”ボタンＵ１４、及び“設定”ボタンＵ１５が提示され、“操作”ボタンＵ１４がタッチ操作されると図９（ａ）に示す操作メイン画面Ｕ２に移行し、“設定”ボタンＵ１５がタッチ操作されると図９（ｂ）に示す設定メイン画面Ｕ３に移行する。
【０１０４】
図９（ａ）に示す操作メイン画面Ｕ２には、各操作を実行するための操作画面（例えば図１１参照）へと移行するための“個別操作” の操作ボタンＵ２１−１、“グループ操作” の操作ボタンＵ２１−２、“お気に入り操作” の操作ボタンＵ２１−３、及び“タイマー操作” の操作ボタンＵ２１−４と、図８に示すトップ画面Ｕ１へと戻るための“トップ”ボタンＵ２２が提示される。
【０１０５】
また、及び図９（ｂ）に示す設定メイン画面Ｕ３には、各操作を設定するための設定画面（例えば図１０参照）へと移行するための“個別操作”の設定ボタンＵ３１−１、“グループ操作” の設定ボタンＵ３１−２、“お気に入り操作” の設定ボタンＵ３１−３、及び“タイマー操作” の設定ボタンＵ３１−４と、図８に示すトップ画面Ｕ１へと戻るための“トップ”ボタンＵ３２が提示される。
【０１０６】
ここでは、ユーザが“設定”ボタンＵ１５がタッチ操作して図９（ｂ）に示す設定メイン画面Ｕ３に移行したとする。
【０１０７】
図７を参照するに、移動端末１のユーザ別デバイス動作指定設定部１１３の機能により、ユーザによって図９（ｂ）に示す設定メイン画面Ｕ３がタッチ操作されると、ユーザ毎に種々の電動遮蔽装置８の操作に係る各種設定をユーザに設定させ（ステップＳ６）、信号処理装置２におけるユーザ別設定管理部２１３の制御によって管理させる（ステップＳ７）。そして、信号処理装置２は、ＵＩ提示制御部２１１及びユーザ別設定管理部２１３の機能によって、当該ＵＩ上に設定内容を提示する。
【０１０８】
この設定操作に関して、図９（ｂ）に示す設定メイン画面Ｕ３にて、例えばユーザが“お気に入り操作” の設定ボタンＵ３１−３をタッチ操作すると、図１０（ａ）に示すお気に入り設定画面Ｕ４に移行する。
【０１０９】
図１０（ａ）に示すお気に入り設定画面Ｕ４には、操作可能な全ての電動遮蔽装置８（デバイス）の設定対象メニューＵ４１−１〜Ｕ４１−７と、図９（ｂ）に示す設定メイン画面Ｕ３へと戻るための“設定メイン”ボタンＵ４２と、図８に示すトップ画面Ｕ１へと戻るための“トップ”ボタンＵ４３が提示される。
【０１１０】
ここで、各設定対象メニューＵ４１−１〜Ｕ４１−７には、それぞれ直感的に理解しやすいデバイス種類（横型ブラインド、ロールスクリーン等）の表示Ｐ１が提示され、デバイス毎に、現在設定されている内容（ユーザ設定されていないときはデフォルト値）も提示される。また、各設定対象メニューＵ４１−１〜Ｕ４１−７には、チェックボックスＰ２が設けられ、チェックボックスＰ２にレ点チェックされたデバイスが、図８に示すトップ画面Ｕ１の“お気に入り操作”メニューに提示されるようになっている。
【０１１１】
ユーザが、図１０（ａ）に示すお気に入り設定画面Ｕ４にて設定対象メニューＵ４１−１をタッチ操作すると、図１０（ｂ）に示すお気に入り指定デバイス設定画面Ｕ５へと移行する。
【０１１２】
お気に入り指定デバイス設定画面Ｕ５には、デバイス名称や操作・設定可能内容が提示され、デバイス種類等のデバイス情報を示す表示欄Ｕ５１−１と、ユーザが所望する設定を示す設定メニューＵ５１−２，Ｕ５１−３と、図１０（ａ）に示すお気に入り設定画面Ｕ４へと戻るための“戻る”ボタンＵ５２と、設定メニューＵ５１−２，Ｕ５１−３の設定内容を登録するための“登録”ボタンＵ５３と、設定メニューＵ５１−２，Ｕ５１−３の設定操作を反映させずに最新の登録状態へと戻すための“キャンセル”ボタンＵ５４が提示される。
【０１１３】
本例では、「リビングＡ」の横型ブラインドについて、ユーザが所望する設定として、設定メニューＵ５１−２には開度（昇降高さ）を数値設定可能とする数値設定欄Ｐ３、及びバー表示で設定可能とする設定バーＰ４が提示され、設定メニューＵ５１−３にはチルト量を数値設定可能とする数値設定欄Ｐ５、及びバー表示で設定可能とする設定バーＰ６が提示される。
【０１１４】
このように、図９（ｂ）に示す設定メイン画面Ｕ３から、例えば図１０（ａ）に例示するお気に入り設定画面Ｕ４へと移行し、“お気に入り操作”として、ユーザが所望する設定を、ユーザ単位で登録することができる。
【０１１５】
尚、図９（ｂ）に示す設定メイン画面Ｕ３から、“個別操作”に関する設定画面へ移行したときも、図１０（ａ），（ｂ）に例示する設定画面とほぼ同様である。ただし、この場合、チェックボックスＰ２の提示は不要であり、提示されない。
【０１１６】
また、図９（ｂ）に示す設定メイン画面Ｕ３から、“グループ操作”に関する設定画面へ移行したときも、図１０（ａ），（ｂ）に例示する設定画面とほぼ同様である。ただし、この場合、チェックボックスＰ２の提示がグループ指定となる。
【０１１７】
また、図９（ｂ）に示す設定メイン画面Ｕ３から、“タイマー操作”に関する設定画面へ移行したときも、図１０（ａ），（ｂ）に例示する設定画面とほぼ同様である。ただし、この場合、チェックボックスＰ２の提示は不要であり、提示されず、図１０（ｂ）に例示する設定内容に対し、指定動作時刻の設定欄が設けられる。
【０１１８】
このようにして、移動端末１のユーザ別デバイス動作指定設定部１１３の機能により、ユーザ毎に種々の電動遮蔽装置８の操作に係る各種設定をユーザに設定させ、信号処理装置２は、ユーザ別設定管理部２１３の機能によって、当該ＵＩ上に設定内容を提示することができる。
【０１１９】
図７を参照するに、移動端末１のＵＩ上でユーザによってデバイス操作を行うタッチ操作が行われると、信号処理装置２は、デバイス操作用無線信号処理部２１６による操作対象の電動遮蔽装置８に対する無線信号の相互通信に基づき、デバイス別状態情報管理部２１５によって現時点の当該操作対象の電動遮蔽装置８における遮蔽材の状態（動作中であるか否か、及び非動作中であれば遮蔽材の開閉状態）を確認する（ステップＳ９）。
【０１２０】
ここで、操作対象の電動遮蔽装置８が動作中であれば、その旨をダイアログ表示やポップアップ表示等で移動端末１のＵＩ上で通知する。このとき、ユーザは当該操作対象の電動遮蔽装置８が非動作中となるまで、ステップＳ８，Ｓ９の動作を繰り返すことができるが、上述したように、図８に示すトップ画面Ｕ１には、移動端末１のデバイス動作強制停止操作部１１６によって制御される、そのデバイス動作を強制停止させるＳＴＯＰボタンＵ１３が提示されている。このため、ユーザが当該ＳＴＯＰボタンＵ１３をタッチ操作することで、これに対応する無線信号が信号処理装置２から当該操作対象の電動遮蔽装置８に対し送信され、当該操作対象の電動遮蔽装置８を強制停止させることができる。
【０１２１】
従って、操作対象の電動遮蔽装置８が動作中であれば、ユーザ操作に基づいて強制停止させる操作指示があるときは、信号処理装置２は、デバイス操作用無線信号処理部２１６によって、当該操作対象の電動遮蔽装置８を強制停止させる無線信号を生成して出力し（ステップＳ１１）、当該操作対象の電動遮蔽装置８を強制停止させる（ステップＳ１２）。
【０１２２】
一方、操作対象の電動遮蔽装置８が非動作中であれば、信号処理装置２は、デバイス操作用無線信号処理部２１６によって、当該操作対象の電動遮蔽装置８に対し操作を実行させるコマンドを含む無線信号を生成し（ステップＳ１１）、当該操作対象の電動遮蔽装置８における遮蔽材の操作を実行させる（ステップＳ１２）。例えば、当該操作対象の電動遮蔽装置８が横型ブラインドであれば、移動端末１から開閉・チルトの実行の操作が可能であり、当該操作対象の電動遮蔽装置８がロールスクリーンであれば、移動端末１から開閉の実行の操作が可能である。
【０１２３】
このデバイス動作の実行操作に関して、図９（ａ）に示す操作メイン画面Ｕ２にて、例えばユーザが“個別操作”の操作ボタンＵ２１−１をタッチ操作すると、図１１（ａ）に示す個別操作画面Ｕ６に移行する。
【０１２４】
図１１（ａ）に示す個別操作画面Ｕ６には、操作可能な全ての電動遮蔽装置８（デバイス）の操作対象メニューＵ６１−１〜Ｕ６１−７と、図９（ａ）に示す操作メイン画面Ｕ２へと戻るための“操作メイン”ボタンＵ６２と、図８に示すトップ画面Ｕ１へと戻るための“トップ”ボタンＵ６３が提示される。
【０１２５】
ここで、各操作対象メニューＵ６１−１〜Ｕ６１−７には、それぞれ直感的に理解しやすいデバイス種類（横型ブラインド、ロールスクリーン等）の表示Ｐ１が提示される。また、また、設定対象メニューＵ６１−１〜Ｕ６１−７には、各電動遮蔽装置８の現在状態（信号処理装置２との接続時点の状態か、又は当該個別操作画面Ｕ６の提示時に状態情報の取得で更新される最新状態）が提示されるようになっている。
【０１２６】
ユーザが、図１１（ａ）に示す個別操作画面Ｕ６にて操作対象メニューＵ６１−１をタッチ操作すると、図１１（ｂ）に示す個別指定デバイス設定画面Ｕ７へと移行する。
【０１２７】
個別指定デバイス設定画面Ｕ７には、デバイス名称や操作・設定可能内容が提示され、デバイス種類等のデバイス情報を示す表示欄Ｕ７１−１と、ユーザが所望する操作指示を示す操作指示メニューＵ７１−２，Ｕ７１−３と、図１１（ａ）に示す個別操作画面Ｕ６へと戻るための“戻る”ボタンＵ７２と、操作指示メニューＵ５１−２，Ｕ５１−３の操作指示を実行するための“実行”ボタンＵ７３が提示される。
【０１２８】
本例では、「リビングＡ」の横型ブラインドについて、ユーザが所望する設定として、操作指示メニューＵ７１−２には開度（昇降高さ）を数値設定可能とする数値設定欄Ｐ３、及びバー表示で設定可能とする設定バーＰ４が提示され、操作指示メニューＵ７１−３にはチルト量を数値設定可能とする数値設定欄Ｐ５、及びバー表示で設定可能とする設定バーＰ６が提示される。そして、“実行”ボタンＵ７３のタッチ操作で、信号処理装置２は、対応するコマンドを含む無線信号を生成し、操作対象の電動遮蔽装置８へ送信する。
【０１２９】
このように、図９（ａ）に示す操作メイン画面Ｕ２から、例えば図１１（ａ）に例示する個別操作画面Ｕ６２へと移行し、“個別操作”として、ユーザが所望する操作設定で、操作対象の電動遮蔽装置８を指定し遠隔操作することができる。
【０１３０】
尚、図９（ａ）に示す操作メイン画面Ｕ２から、“グループ操作”に関する操作画面へ移行したときも、図１１（ａ），（ｂ）に例示する操作画面とほぼ同様である。ただし、この場合、図１０（ａ），（ｂ）に例示するようなチェックボックスＰ２の提示が為され、随意グループ指定することができる。
【０１３１】
また、図９（ａ）に示す操作メイン画面Ｕ２から、“お気に入り操作”をタッチ操作したときは、図８に示すトップ画面Ｕ１に戻る。
【０１３２】
また、図９（ａ）に示す操作メイン画面Ｕ２から、“タイマー操作”に関する操作画面へ移行したときは、タイマー操作”に関する設定画面へ移行する。
【０１３３】
このようにして、移動端末１のタッチパネル式の表示画面上に、指定設定済みデバイス動作操作部１１４の機能としての“お気に入り操作”、操作履歴操作部１１５の機能としての“操作履歴操作”、デバイス操作部１１７の機能としての“個別操作”、“グループ操作”、及び“タイマー操作”、デバイス動作強制停止操作部１１６の機能としてデバイス動作を強制停止させる“ＳＴＯＰ”操作がＵＩとして信号処理装置２から提示され、信号処理装置２は、デバイス操作用無線信号処理部２１６の機能によって、当該ＵＩ上の操作に対応するコマンドを含む無線信号が生成されて、操作対象のデバイス動作を実行させることができる。
【０１３４】
特に、図８に示すトップ画面Ｕ１に提示され操作指示可能とする“お気に入り操作”や“操作履歴操作”は、リモートコントローラ８１には無い機能として拡張されたものであり、利便性が高いものとなっている。
【０１３５】
以上、特定の実施形態の例を挙げて本発明を説明したが、本発明は前述の実施形態の例に限定されるものではなく、その技術思想を逸脱しない範囲で種々変形可能である。例えば、上述した各実施形態の例では、従来技法における上述した種々の課題を解決するための手段を全て含む好適な例を代表して説明したが、種々の課題を個別に解決するように本発明に係る一実施形態の移動端末１、信号処理装置２、及び電動遮蔽装置８を構成することができる。
【０１３６】
例えば、本発明に係る一実施形態の信号処理装置２は、リモートコントローラで操作可能な屋内の操作対象の電動遮蔽装置８を移動端末１から無線操作するために、当該移動端末１に対し近距離無線通信路（無線ルーター３を含む通信路）を経て接続され当該移動端末１からの操作指示に対応する無線信号を出力する装置として構成され、リモートコントローラ８１のコマンドとは区別可能な態様で移動端末１からの操作指示に対応するコマンドを生成し、該コマンドを含みリモートコントローラ８１で用いる無線信号と共通の信号フォーマットで構成された無線信号を生成するデバイス操作用無線信号処理部２１６と、該無線信号を用いて操作対象の電動遮蔽装置８と無線通信する通信部２４と、を備える。
【０１３７】
このため、特に操作対象の電動遮蔽装置８に設けられる制御ユニット８０は、信号処理装置２からの無線信号と、リモートコントローラ８１からの無線信号とを、共通のアンテナで受信可能とするだけでなくその後の処理経路を共通化でき、動作の安定化、及び低コスト化に有利になる。
【０１３８】
更に、信号処理装置２からの無線信号と、リモートコントローラ８１からの無線信号とを共通の信号フォーマットで構成するとともに、これらの無線信号内のコマンドで、移動端末１からの操作に係るコマンドであるか、リモートコントローラ８１からの操作に係るコマンドであるかを識別可能としているため、移動端末１による操作の拡張性を高めることに寄与し、リモートコントローラ８１の機能を超える操作を移動端末１による操作に持たせることが実現され、利便性の高いものとなる。
【０１３９】
また、本発明に係る一実施形態の信号処理装置２は、屋内の操作対象の電動遮蔽装置８を移動端末１から無線操作するために、当該移動端末１に対し近距離無線通信路を経て接続され当該移動端末１からの操作指示に対応する無線信号を出力する装置として構成され、移動端末１に対しユーザ認証（ユーザＩＤ及びパスワード）に基づいてユーザを認証して判別し、当該操作対象の電動遮蔽装置の操作に係るユーザーインターフェースを提示制御し、ユーザーインターフェース（ＵＩ）に従うタッチ操作で、ユーザ毎に前記操作対象の電動遮蔽装置の操作に係る設定を登録保持し、ユーザが所望する指定の電動遮蔽装置８の指定の操作を行うユーザ毎に固有の操作を可能とするよう管理し、当該ＵＩ上に提示される当該ユーザ毎に固有の操作のタッチ操作で、当該ユーザ毎に固有の操作に対応するコマンドを含む無線信号を用いて操作対象の電動遮蔽装置８と無線通信するよう構成される。
【０１４０】
従って、本実施形態のシステムでは、移動端末１単位で信号処理装置２に登録するものではなく、ユーザ単位で信号処理装置２に登録するものとなっており、ユーザが他の移動端末を利用したいときも、同じ設定での操作（お気に入り操作）が可能となり、利便性を向上させたものとなる。
【０１４１】
また、本発明に係る一実施形態の信号処理装置２は、屋内の操作対象の電動遮蔽装置８を移動端末１から無線操作するために、当該移動端末１に対し近距離無線通信路を経て接続され当該移動端末１からの操作指示に対応する無線信号を出力する装置として構成され、移動端末１に対しユーザ認証（ユーザＩＤ及びパスワード）に基づいてユーザを認証して判別し、当該操作対象の電動遮蔽装置の操作に係るユーザーインターフェースを提示制御し、ユーザ毎に所定回数分の操作履歴を管理し、当該ユーザーインターフェース上に提示される当該所定回数分の操作履歴のタッチ操作で、当該操作履歴に基づく操作に対応するコマンドを含む無線信号を用いて操作対象の電動遮蔽装置８と無線通信するよう構成される。
【０１４２】
従って、本実施形態のシステムでは、移動端末１単位で信号処理装置２に登録するものではなく、ユーザ単位で信号処理装置２に登録するものとなっており、ユーザが他の移動端末を利用したいときも、同じ設定での操作（操作履歴操作）が可能となり、利便性を向上させたものとなる。
【０１４３】
そして、本発明に係る一実施形態の信号処理装置２は、移動端末１に対し、当該操作対象の電動遮蔽装置８に係るユーザーインターフェース（ＵＩ）を提示するよう構成しているため、移動端末１は、操作メニューを含むアプリケーションを予め記憶しておく必要がなくなり、移動端末１の負荷の増大を避けることができ、ユーザ単位の操作を可能とする上での動作の安定性、低コスト化、及び利便性を向上させたものとなる。
【０１４４】
尚、上述した実施形態の例では、信号処理装置２におけるユーザ別操作履歴管理部２１３は、当該ユーザが過去に操作した、最新のものから所定回数分の操作履歴を管理し、ＵＩ提示制御部２１１は、その所定回数分の操作履歴に係る操作を可能とする操作画面をユーザーインターフェース（ＵＩ）上に提示する例を説明したが、このような操作履歴の管理及び提示に関して様々な変形例を適用できる。
【０１４５】
例えば、信号処理装置２におけるユーザ別操作履歴管理部２１３は、当該ユーザがユーザ認証を経て操作する時刻、曜日、日にちのいずれか１つ以上を基準に、当該ユーザが過去に操作した、最新のものから所定回数分の操作履歴を管理し、ＵＩ提示制御部２１１は、該基準としたものが時刻であればその所定時間内（例えば前後１時間以内）に、該基準としたものが曜日であればその曜日に、該基準としたものが日にちであればその日にちに、該基準としたものが時刻、曜日、日にちのいずれか１つ以上の組み合わせであれば、その組み合わせに従って、対応する所定回数分の操作履歴に係る操作を可能とする操作画面をユーザーインターフェース（ＵＩ）上に提示する構成とすることもできる。例えば、当該ユーザがユーザ認証を経て操作する時刻として朝であれば、その朝の操作時刻に近い時刻（所定時間内）で電動遮蔽装置８の例えば過去に開動作をしていたときには開動作の履歴が、閉動作をしていたときには閉動作の履歴がＵＩ上に提示され、使い勝手がより一層向上するようになる。そして、ユーザ別操作履歴管理部２１３は、時刻以外にも曜日や日にちを基準として履歴を管理し、ＵＩ提示制御部２１１によってＵＩ上に提示することも可能である。
【産業上の利用可能性】
【０１４６】
本発明によれば、より動作の安定化を図り、低コスト化に寄与し、利便性の高い信号処理装置、移動端末及び電動遮蔽装置を構成することができるので、移動端末により、近距離無線通信を経て信号処理装置を経由し操作対象の電動遮蔽装置を操作可能とするシステムの用途に有用である。
【符号の説明】
【０１４７】
１  移動端末
２  信号処理装置
３  無線ルーター
８  電動遮蔽装置
１１  制御部
１２  通信部
２１  制御部
２２，２４  通信部
２３  記憶部
８０  制御ユニット
８１  リモートコントローラ
８２  有線スイッチ
１１１  ＵＩ提示部
１１２  ユーザ登録部
１１３  ユーザ別デバイス動作指定設定部
１１４  指定設定済みデバイス動作操作部
１１５  操作履歴別操作部
１１６  デバイス動作強制停止操作部
１１７  デバイス操作部
２１１  ＵＩ提示制御部
２１２  ユーザ登録管理部
２１３  ユーザ別設定管理部
２１４  ユーザ別操作履歴管理部
２１５  デバイス別状態情報管理部
２１６  デバイス操作用無線信号処理部
８０１  制御部
８０２  有線スイッチ通信制御部
８０３  記憶部
８０４  通信部
８０５  駆動部
８０６  パルス信号受信部
８０１１  無線信号解析実行部
８０１２  開度制御部
８０１３  チルト量制御部
８０１４  状態情報管理部
８０１５  有線操作信号解析実行部
【図１】
2019054401.tif 000003
【図２】
2019054401.tif 000004
【図３】
2019054401.tif 000005
【図４】
2019054401.tif 000006
【図５】
2019054401.tif 000007
【図６】
2019054401.tif 000008
【図７】
2019054401.tif 000009
【図８】
2019054401.tif 000010
【図９】
2019054401.tif 000011
【図１０】
2019054401.tif 000012
【図１１】
2019054401.tif 000013